【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】
支持部を床面に配設し、複数のパネルを該支持部で支持して整列配置し、複数のパネル隅部が集合する箇所の上面にカバーを設けて構成された二重床構造に於いて、前記カバーの裏面側に設けられた弾性樹脂材で成る係合部と、前記パネル隅部の略周縁に設けられた前記係合部が係合する被係合領域と、を有し、前記カバーの係合部と前記複数のパネル隅部の被係合領域とを係合して、前記複数のパネル隅部を前記カバーで位置決め固定することを特徴とする二重床構造。
【請求項２】
支持部を床面に配設し、複数のパネルを該支持部で支持して整列配置し、複数のパネル隅部が集合する箇所の上面にカバーを設けて構成された二重床構造に於いて、前記カバーの裏面側に下方へ突出して設けられた金属材で成る略凸部に弾性樹脂材を被覆して形成された突出部と、前記複数のパネル隅部に設けられ前記カバーの突出部が係合される被係合領域と、を有し、前記弾性樹脂材を介し、前記カバーの突出部と前記複数のパネル隅部の被係合領域とを係合して、前記パネル隅部を前記カバーで位置決め固定することを特徴とする二重床構造。
【請求項３】
支持部を床面に配設し、複数のパネルを該支持部で支持して整列配置し、複数のパネル隅部が集合する箇所の上面にカバーを設けて構成された二重床構造に於いて、前記カバーの裏面側に重ねて設けられる弾性樹脂材と、金属材４０１で形成され異なる位置で下方に突出して設けられた第１の係合部及び第２の係合部と、前記複数のパネル隅部の所定上面領域に形成された前記第１の係合部が係合する被係合領域と、前記被係合領域が形成された前記パネル隅部の所定上面領域と異なる所定領域に形成された前記第２の係合部が係合する被係合部と、を有し、前記パネル隅部に接する様に前記カバーの裏面側と該パネル隅部との間に前記弾性樹脂材を介在させて、前記第１、第２の係合部を前記被係合領域と被係合部とにそれぞれ係合し、前記パネル隅部相互を前記カバーで位置決め固定することを特徴とする二重床構造。
【請求項４】
支持部を床面に配設し、複数のパネルを該支持部で支持して整列配置し、複数のパネルの隅部が集合する箇所でカバーを設けて構成された二重床構造において、前記カバーの裏面側に下方へ突設され、弾性樹脂材で形成された突出部と、前記複数のパネルの隅部周縁及び隅部近傍の側周縁に設けられた被係合領域と、を有し、前記カバーの突出部を、該複数のパネルの隅部周縁及び隅部近傍の側周縁に接する様に前記被係合領域に係合することにより、該カバーを設置することを特徴とする二重床構造。
【請求項５】
請求項４記載の二重床構造において、前記突出部は、前記パネル隅部周縁に係合する第１の突出部と、前記パネル隅部周縁近傍の側周縁に係合する第２の突出部とで構成されたことを特徴とする二重床構造。
【請求項６】
請求項１、２、３、４又は５記載の二重床構造において、前記弾性樹脂材が略板状に形成されていると共に、前記弾性樹脂材で成る係合部が前記複数のパネル隅部の被係合領域に嵌挿されることを特徴とする二重床構造。
【請求項７】
請求項１、２、３、４、５又は６記載の二重床構造において、パネル隅部の集合箇所に於ける少なくとも一つのパネル隅部に、前記カバーを着脱可能とするヒンジ機構が設けられ、前記ヒンジ機構により前記カバーが開閉可能であることを特徴とする二重床構造。
【請求項８】
請求項１、２、３、４、５、６又は７記載の二重床構造において、パネルの隣り合う２辺近傍には、前記パネル隅部が集合する箇所に設けられたカバーと異なる直線部カバーが、開閉可能な構造により設置されることを特徴とする二重床構造。
【請求項９】
床面に配設される支持部と、前記支持部で支持して整列配置される複数のパネルと、前記複数のパネル隅部が集合する箇所の上面に設けられる交差部カバーと、前記複数のパネルの隣り合う２辺の周縁近傍箇所の上面に設けられる直線部カバーと、前記各カバーの裏面側にそれぞれ設けられた弾性樹脂材でなる係合部と、前記交差部カバーに対応した前記パネル隅部の略周縁に設けられた前記係合部が係合される被係合領域と、前記直線部カバーに対応した前記パネル周縁の端部に設けられた前記係合部が係合される被係合部と、を有し、前記各カバーの係合部と、前記複数のパネル隅部の被係合領域、及び前記パネル周縁の端部の被係合部と、がそれぞれ係合され、該パネル隅部を前記交差部カバーで位置決め固定可能とすると共に、着脱自在な前記直線部カバーで配線通路を開閉可能とすることを特徴とする二重床構造。
【手続補正２】
【補正対象書類名】明細書
【補正対象項目名】００１８
【補正方法】変更
【補正の内容】
【００１８】
【課題を解決するための手段】
本発明の二重床構造は、支持部を床面に配設し、複数のパネルを該支持部で支持して整列配置し、複数のパネル隅部が集合する箇所の上面にカバーを設けて構成された二重床構造に於いて、前記カバーの裏面側に設けられた弾性樹脂材で成る係合部と、前記パネル隅部の略周縁に設けられた前記係合部が係合する被係合領域と、を有し、前記カバーの係合部と前記複数のパネル隅部の被係合領域とを係合して、前記複数のパネル隅部を前記カバーで位置決め固定することを特徴とする。
【手続補正３】
【補正対象書類名】明細書
【補正対象項目名】００１９
【補正方法】変更
【補正の内容】
【００１９】
また、本発明の二重床構造は、支持部を床面に配設し、複数のパネルを該支持部で支持して整列配置し、複数のパネル隅部が集合する箇所の上面にカバーを設けて構成された二重床構造に於いて、前記カバーの裏面側に下方へ突出して設けられた金属材で成る略凸部に弾性樹脂材を被覆して形成された突出部と、前記複数のパネル隅部に設けられ前記カバーの突出部が係合される被係合領域と、を有し、前記弾性樹脂材を介し、前記カバーの突出部と前記複数のパネル隅部の被係合領域とを係合して、前記パネル隅部を前記カバーで位置決め固定することを特徴とする。
【手続補正４】
【補正対象書類名】明細書
【補正対象項目名】００２０
【補正方法】変更
【補正の内容】
【００２０】
また、本発明の二重床構造は、支持部を床面に配設し、複数のパネルを該支持部で支持して整列配置し、複数のパネル隅部が集合する箇所の上面にカバーを設けて構成された二重床構造に於いて、前記カバーの裏面側に重ねて設けられる弾性樹脂材と、金属材４０１で形成され異なる位置で下方に突出して設けられた第１の係合部及び第２の係合部と、前記複数のパネル隅部の所定上面領域に形成された前記第１の係合部が係合する被係合領域と、前記被係合領域が形成された前記パネル隅部の所定上面領域と異なる所定領域に形成された前記第２の係合部が係合する被係合部と、を有し、前記パネル隅部に接する様に前記カバーの裏面側と該パネル隅部との間に前記弾性樹脂材を介在させて、前記第１、第２の係合部を前記被係合領域と被係合部とにそれぞれ係合し、前記パネル隅部相互を前記カバーで位置決め固定することを特徴とする。
【手続補正５】
【補正対象書類名】明細書
【補正対象項目名】００２１
【補正方法】変更
【補正の内容】
【００２１】
また、本発明の二重床構造は、支持部を床面に配設し、複数のパネルを該支持部で支持して整列配置し、複数のパネルの隅部が集合する箇所でカバーを設けて構成された二重床構造において、前記カバーの裏面側に下方へ突設され、弾性樹脂材で形成された突出部と、前記複数のパネルの隅部周縁及び隅部近傍の側周縁に設けられた被係合領域と、を有し、前記カバーの突出部を、該複数のパネルの隅部周縁及び隅部近傍の側周縁に接する様に前記被係合領域に係合することにより、該カバーを設置することを特徴とする。前記突出部は、前記パネル隅部周縁に係合する第１の突出部と、前記パネル隅部周縁近傍の側周縁に係合する第２の突出部とで構成すると好適である。また、本発明では、二重床構造において、前記弾性樹脂材を略板状に形成すると共に、前記弾性樹脂材で成る係合部を前記複数のパネル隅部の被係合領域に嵌挿する構成、又、パネル隅部の集合箇所に於ける少なくとも一つのパネル隅部に、前記カバーを着脱可能とするヒンジ機構を設け、前記ヒンジ機構により前記カバーを開閉可能とする構成、又、パネルの隣り合う２辺近傍には、前記パネル隅部が集合する箇所に設けられたカバーと異なる直線部カバーを、開閉可能な構造により設置する構成とすると好適である。
【手続補正６】
【補正対象書類名】明細書
【補正対象項目名】００２２
【補正方法】変更
【補正の内容】
【００２２】
また、本発明の二重床構造は、床面に配設される支持部と、前記支持部で支持して整列配置される複数のパネルと、前記複数のパネル隅部が集合する箇所の上面に設けられる交差部カバーと、前記複数のパネルの隣り合う２辺の周縁近傍箇所の上面に設けられる直線部カバーと、前記各カバーの裏面側にそれぞれ設けられた弾性樹脂材でなる係合部と、前記交差部カバーに対応した前記パネル隅部の略周縁に設けられた前記係合部が係合される被係合領域と、前記直線部カバーに対応した前記パネル周縁の端部に設けられた前記係合部が係合される被係合部と、を有し、前記各カバーの係合部と、前記複数のパネル隅部の被係合領域、及び前記パネル周縁の端部の被係合部と、がそれぞれ係合され、該パネル隅部を前記交差部カバーで位置決め固定可能とすると共に、着脱自在な前記直線部カバーで配線通路を開閉可能とすることを特徴とする。